(57)【要約】【課題】傘体、及び、折り畳み椅子を容設する携帯式折り畳みテーブルの提供。【解決手段】傘体、及び、折り畳み椅子を容設する携帯式折り畳みテーブルは、傘体と、折り畳み椅子と収合テーブルからなる。傘体は、中棒上端に数本の傘骨を枢結して傘面を形成し、テーブル脚板を横設した可動横棒の支承座を組み合わせ、門構状テーブル板を結合する緊迫素子により、前記中棒を挿組定位し、折り畳み椅子は、折り畳み可能な骨組みに帆布を張ってなり、収合テーブルは、容納空間を有する門状のテーブル板両側に対折蓋合、或いは、開展する両テーブル板を有し、外部に更に係合素子を有して定位させ、傘体と椅子を収納する封閉薄型箱体を形成し、展収と携帯に便利である。【選択図】    図２
0003125029.tif 000002
【実用新案登録請求の範囲】
【請求項１】
傘体、及び、折り畳み椅子を容設する携帯式折り畳みテーブルであって、傘体と、折り畳み椅子と収合テーブルからなり、
前記傘体は、中棒上端に数本の傘骨を枢結して傘面を形成し、テーブル脚板を横設した可動横棒の支承座を組み合わせ、門構状テーブル板を結合する緊迫素子により、前記中棒を挿組定位し、
前記折り畳み椅子は、折り畳み可能な骨組みに帆布を張ってなり、
前記収合テーブルは、容納空間を有する門状のテーブル板両側に対折蓋合、或いは、開展する両テーブル板を有し、外部に更に係合素子を有して定位させ、傘体と椅子を収納する封閉薄型箱体を形成し、展収と携帯に便利であることを特徴とする携帯式折り畳みテーブル構造。
【請求項２】
前記可動横棒両側に位置するテーブル板内側にそれぞれ、テーブル高さを調節できる両伸縮脚を枢設することを特徴とする請求項１に記載の携帯式折り畳みテーブル構造。
【請求項３】
前記門状テーブルは一端でもう一つの門状テーブル板と枢結されて対折蓋合のテーブル体にすることができ、両門状テーブル板は、それぞれ、平行に、可動支承する門状フレームを設置し、両門状フレーム両側に展収する補助支棒を連結し、下横棒上に、挿孔を有する支承座を有して、前記門状テーブル板の緊迫素子と固結し、両傘体は、前記中棒を前記門状テーブル板の両支承座に挿固して、更に、前記緊迫素子により固定し、二傘、二テーブルの収合テーブルを形成することを特徴とする請求項１に記載の携帯式折り畳みテーブル構造。
【請求項４】
前記傘体の中棒と前記骨は、内外スリーブと定位構造により、伸縮可能で定位する傘骨を形成することを特徴とする請求項１、或いは、３に記載の携帯式折り畳みテーブル構造。
【請求項５】
前記両門状テーブル板は隣接辺に、それぞれ挿孔を貫設し、展開して、係合柱を凸設する門状補助係合素子と係結定位することを特徴とする請求項３に記載の携帯式折り畳みテーブル構造。
【考案の詳細な説明】
【技術分野】
【０００１】
本考案は 収合、展開が便利で、携帯可能な傘体、及び、折り畳み椅子を容設する折り畳みテーブルの新規構造に関する。
【背景技術】
【０００２】
公知技術において、一つ目の中華民国の公告第M２４２０６４号「折り畳みテーブルと折り畳み椅子の組設構造」考案のように、その構造は、折り畳みテーブルの収合時の内部空間は折り畳み椅子を収納し、組み立てに便利な構造である。
【０００３】
また、二つ目の中華民国の公告第５３３７８８号「伸縮折合するピクニックテーブル」考案のように、その構造は、両結合テーブル脚の両テーブル面が両側で滑道により両相対折収する滑棒を有し、枢転折合可能で、テーブル長さの伸縮が調節できる構造である。
【０００４】
更に、三つ目の中華民国の公告第４２１０３３号「折合テーブル」考案のように、その構造は、両枢結直立脚のフレームをテーブル板に嵌結し、フレームと脚棒間に少なくとも二つの折合機構を組設してなる。その請求項第３項で示されるように、中空の脚棒底部に中央に内螺孔を形成する内部素子を設け、中空の延長棒を設置し、テーブル高度の高低調節を提供する構造である。
【０００５】
また、四つ目の中華民国の公告第２２００６６号「簡易型折り畳み携帯式ビーチテーブル」考案のように、その構造は折り畳みテーブルが展開後、ビーチパラソルと挿固される構造である。
【０００６】
上述の公告一、二、三の構造は傘と合わせて、遮光や遮雨の収合テーブルにすることができず、戸外で使用するのに適さない。
【０００７】
公告二の「伸縮折合するピクニックテーブル」の構造はテーブル面が長さを調節する機能を有するが、増加できるテーブル面の長さには限りがある。
【０００８】
更に、公告三の「折合テーブル」の構造は脚棒底部に中空延長棒を有し、高さの調整が可能であるが、取り外しには螺旋操作が必要なので、使用上面倒である。
【考案の開示】
【考案が解決しようとする課題】
【０００９】
よって、本考案は、上述の公知の折り畳みテーブルが傘を併用できず、戸外で使用ができない欠点に対し改良を加え、傘体を結合して使用でき、収合時に傘体、及び、椅子を容納でき、使用操作、又は、携帯上、非常に快速で便利な折り畳みテーブルの新規構造を提供することを目的とする。
【００１０】
本考案は、二傘、二テーブルで、大面積を有する傘体、及び、椅子を容納できる携帯式の収合テーブル構造を提供することをもう一つの目的とする。
【００１１】
更に本考案は、使用者が空間の大きさにより自由にテーブル体の高低を調節できる傘体、及び、椅子を容納でき、る携帯可能な収合テーブルを提供することを目的とする。
【課題を解決するための手段】
【００１２】
上述の目的を達成するため、本考案の傘体、及び、折り畳み椅子を容設する携帯式折り畳みテーブルは、傘体と、折り畳み椅子と収合テーブルからなる。傘体は、中棒上端に数本の傘骨を枢結して傘面を形成し、テーブル脚板を横設した可動横棒の支承座を組み合わせ、門構状テーブル板を結合する緊迫素子により、前記中棒を挿組定位し、折り畳み椅子は、折り畳み可能な骨組みに帆布を張ってなり、収合テーブルは、容納空間を有する門状のテーブル板両側に対折蓋合、或いは、開展する両テーブル板を有し、外部に更に係合素子を有して定位させ、傘体と椅子を収納する封閉薄型箱体を形成する。
【考案の効果】
【００１３】
本考案により、傘体を結合して使用でき、収合時に傘体、及び、椅子を容納でき、使用操作、又は、携帯上、非常に快速で便利になる。  
【考案を実施するための最良の形態】
【００１４】
図１、図２は本考案の立体図である。本考案は収合テーブル１０、傘体２０、及び、折り畳み椅子３０（図３）からなる。
【００１５】
収合テーブル１０は、周囲に容置空間１２を凹設する門状の机板１１両側に対接蓋合する門状の両テーブル脚板１３を枢設し、その内側に凸状の固定ブロック１４を有して、両端が挿孔を有する門状の可動横棒１５を嵌設し、可動横棒１５中央に挿孔を有する支承座１６と門構状テーブル板１１を結合する緊迫素子１７を有する。傘体２０の中棒２１は、門構状のテーブル１１の緊迫素子１７（偏心束、或いは、快速取り外し可能）を穿入して支承座１６に挿組され、更に、緊迫素子１７により定位される。門構状のテーブル１１外部はテーブル脚板１３に対し制限する係合素子１８１、及び、耳１８を有する。両テーブル脚板１３内側の両端は、上下に排列されたΩ状のノッチ１９１を有する固定片１９２により両伸縮脚１９を栓設し、伸縮脚１９は外径がΩ状ノッチ１９１の開口より小さい定位栓１９３を凸設する。定位栓１９３がΩ状ノッチ１９１に向かって伸縮調整されるか、或いは、離れて位置制限される。両テーブル脚板１３両側は更に展収可能な補助支棒１３１と門構状のテーブル板１１を枢組している。
【００１６】
傘体２０は、図２で示されるように、中棒２１上端に数本の傘骨２２を枢結し、帆布傘面２３を貼る。中棒１２、及び、傘骨２２は内外スリーブにより伸縮構造を形成する。傘骨２２の内外スリーブは、定位孔２１１を、内部に定位凸体を有する弾性片２２２と合わせ、弾性嵌結定位を形成する。中棒２１と傘骨２２は、傘体２０を、門状のテーブル板１１内に収容できる長さに縮収することができる。
【００１７】
折り畳み椅子３０は、図３で示されるように、折り畳み可能な骨３１を展開できる帆布椅子面３２に結合してなる。
【００１８】
図１、図２で示されるように、門状テーブル板１１は両テーブル脚板１３が外に向かって展開し、補助支棒１３１により完全なテーブル体に支承固定する。傘体２０の中棒２１は門状テーブル板１１の緊迫素子１７を経て支承座１６に穿入し、緊迫素子１７を旋転させて、傘体２０の中棒２１を定位させ、傘体を有する収合テーブルの構造を形成する。両テーブル脚板１３内側の伸縮脚１９は、定位栓１９３を旋転させて、Ω状ノッチ１９１に対応させ、テーブル脚板１３底面から引いて凸出させて、定位栓１９３をΩ状ノッチ１９１と離して定位させると、テーブル板の高度の調整が可能になる。
【００１９】
図１、図２で示されるように、不使用時、緊迫素子１７を旋開し、傘体２０が門状のテーブル板１１から抽出されると共に、内外スリーブを結合する中棒２１、及び、傘骨２２を圧収して傘体２０の体積に縮小し、可動横棒１５を上に軽く押せば、凸状ブロック１４が脱離する。図３で示されるように、傘体２０、可動横棒１５、及び、椅子３０を門状テーブル板１１の容納空間１２内に収納し、最後に、両テーブル脚板１３を相対枢転させて対接蓋合し、更に係合素子１８１により軽薄型箱体に結組すれば、傘体と折り畳み椅子を収納できる携帯型収合テーブルが提供され、図４で示される。
【００２０】
図５は、本考案の第二実施例を示す立体図で、本考案は両門状テーブル板１１一端を対折収合、或いは、展開させて大きいテーブル面を形成する収合テーブル１０’で、両門状テーブル板１１下端は平行に分置された逆門状フレーム１３’を結合し、両側に展収可能な補助支棒１３１’を連結し、両逆門状フレーム１３’下横棒１３２上に、挿孔を有する支承座１６と門状テーブル板１１を結合する緊迫素子１７を有し、傘体２０中棒２１が支承座１６を挿組し、更に、緊迫素子１７により固定して、図６で示されるように、テーブル面が大きい収合テーブル構造を形成する。
【００２１】
図６で示される収合テーブル１０’は不使用時、緊迫素子１７を旋開させ、傘体２０は門状テーブル１１から抽出されると共に、内外スリーブを結合する中棒２１、及び、傘骨２２を圧収して傘体２０の体積に縮小し（図２で示される）、次に、両逆門状フレーム１３’、及び、両側の補助支棒１３１’を両門状テーブル板１１の容納空間12内に折収し、両傘体２０、折り畳み椅子３０、及び、両門状テーブ板１１側辺から抽出した両門状補助素子１１１を、図７で示されるように、門状フレーム１３’内部に容置し、更に、門状テーブル板１１を対折蓋合し、係合素子１８１’で係結し、携帯型の軽薄型の収合テーブルが形成される。
【００２２】
図８で示されるように、本考案の二傘、二テーブルを有する収合テーブル１０’は、大きい面積の遮光、及び、大きいテーブル面使用功能を有し、各種大型戸外活動、例えば、園遊会、戸外売り場、夜店、運動会、商品展示会等に適用できる。
【図面の簡単な説明】
【００２３】
【図１】本考案の立体図である。
【図２】本考案の立体組み合わせ図である。
【図３】本考案の半収合状態を示す図である。
【図４】本考案の完全収合状態を示す図である。
【図５】本考案の二テーブル面展開を示す図である。
【図６】本考案の二傘二テーブル使用を示す図である。
【図７】本考案の二傘二テーブルの半収合状態を示す図である。
【図８】本考案の二傘二テーブルの拡大使用状態を示す図である。
【符号の説明】
【００２４】
１０、１０’  収合テーブル
１１  門状テーブル板
１１１  門状補助係合素子
１１２  挿孔
１１３  係合柱
１２  容納空間
１３  テーブル脚板
１３’  門状フレーム
１３１、１３１’  補助支棒
１３２  下横棒
１４  凸状固定ブロック
１５  可動横棒
１６  支承座
１７  緊迫素子
１８  耳
１８１、１８１’  係合素子
１９  伸縮脚
１９１  Ω状ノッチ
１９２  固定片
１９３  定位栓
２０  傘体
２１  中棒
２２  傘骨
２２１  定位孔
２２２  弾性片
２３  傘面
３０  折り畳み椅子
３１  骨
３２  椅子面        
【図１】
0003125029.tif 000003
【図２】
0003125029.tif 000004
【図３】
0003125029.tif 000005
【図４】
0003125029.tif 000006
【図５】
0003125029.tif 000007
【図６】
0003125029.tif 000008
【図７】
0003125029.tif 000009
【図８】
0003125029.tif 000010